(57)【要約】【課題】  異なる種類の入力手段を同一操作面上で操作でき、しかも各入力手段を確実に作動できるようにした入力装置を提供する。【解決手段】  共通シート基板２２の下面と上面には、第１の入力手段２０Ａ側の接点の一方の導電体２２ａが、第２の入力手段２０Ｂ側の接点の一方の電極２２ｂがそれぞれ形成されている。前記各シート基板２１，２２，２３がスペーサ基板２４，２５を介して積層される。表面シート１１上を低押圧力で摺動操作することで第２の入力手段によって座標入力が可能になり、前記表面を前記よりも十分に大きな押圧力で押圧操作することで第１の入力手段によって入力指示部１１ａに基づくボタン入力が可能になる。【選択図】図２
2005166466.tif 000002
【特許請求の範囲】
【請求項１】
複数の入力指示部が設けられた操作面と、前記入力指示部に対向する位置にあって押下げ操作により出力が切り替えられる第１の入力手段と、前記第１の入力手段の前記操作面側に重ねられて座標入力操作が可能とされた第２の入力手段を有し、
前記第２の入力手段には、前記第１の入力手段の前記入力指示部に対応する入力点と同じかまたは異なる数の入力点が設けられ、前記第２の入力手段は、前記第１の入力手段よりも低押圧力の摺動操作により動作可能であることを特徴とする入力装置。
【請求項２】
上部シート基板と共通シート基板と下部シート基板とを有し、前記上部シート基板と前記共通シート基板との間、前記共通シート基板と前記下部シート基板との間で、それぞれ複数の接点が構成され、前記上部シート基板と前記共通シート基板との間において前記第２の入力手段が構成され、前記共通シート基板と下部シート基板との間において前記第１の入力手段が構成されている請求項１記載の入力装置。
【請求項３】
前記第２の入力手段に設けられた接点数は、前記第１の入力手段に設けられた接点数よりも多く形成され、第２の入力手段の接点の配置密度が前記第１の入力手段の接点の配置密度よりも高い請求項２記載の入力装置。
【請求項４】
前記上部シート基板と前記共通シート基板、前記共通シート基板と前記下部シート基板とがそれぞれ接続基板で接続されて、前記各シート基板が一続きのシート状である請求項２または３記載の入力装置。
【請求項５】
前記共通シート基板を基準としたときに前記各接続基板が互いに逆向き折り曲げられて、前記共通シート基板の一面側に前記下部シート基板が、他面側に前記上部シート基板が重ねられる請求項４記載の入力装置。
【請求項６】
前記第２の入力手段の接点による入力点が、前記第１の入力手段の接点による入力点と一部で重なるように配置されている請求項１ないし５のいずれかに記載の入力装置。
【請求項７】
前記第１の入力手段の接点と接点の間に、前記第２の入力手段の接点が位置している請求項１ないし６のいずれかに記載の入力装置。
【請求項８】
前記第１の入力手段には、前記入力指示部が操作されたときにクリック感触を発生させる操作感触発生手段が設けられている請求項１ないし７のいずれかに記載の入力装置。
【請求項９】
前記上部シート基板の表面に前記入力指示部が設けられた表面シートが設けられ、前記表面シートの裏面には、前記第２の入力手段の接点に対向する位置にそれぞれ個別に突起が設けられている請求項１ないし８のいずれかに記載の入力装置。
【発明の詳細な説明】
【技術分野】
【０００１】
本発明は、異なる種類の入力手段を備えた入力装置に係り、特に各入力手段の操作性を損なうことなくコンパクトに配置できる入力装置に関する。
【背景技術】
【０００２】
下記特許文献１に示すものは、静電容量式の入力手段と、前記入力手段の裏側にドーム状の反転板を有する接点式の入力手段とが重ねて設けられた入力装置である。
【０００３】
この入力装置は、各入力手段が携帯電話のテンキー部分に組み込まれて使用されるものであり、表面の操作面に数字や記号からなる入力指示部が形成されている。この入力指示部上を押圧操作することにより、前記反転板によってクリック感触が与えられてスイッチ出力がオンに切り替えられる。また前記入力指示部を操作面に沿って指などで摺動させることにより座標入力が可能になる。
【０００４】
下記特許文献２は、キーボード装置に設けられる入力手段である。この入力手段は、２枚の電極基板と１枚のスペーサ基板が１枚のシートで一体に形成されており、各基板を所定の順番で重ねることにより前記スペーサ基板の上下に電極が対向するようにして前記電極基板が重ねられる。また下記特許文献３も特許文献２と同様であり、一体に形成されたシート状基板を折り曲げることで複数の接点が配列された入力手段が構成される。
【特許文献１】特開２００２−１２３３６３号公報
【特許文献２】特開平４−１５５７１９号公報
【特許文献３】特開昭５８−１５２７２９号公報
【発明の開示】
【発明が解決しようとする課題】
【０００５】
しかし、上記特許文献２と３に示すものは、シート状基板を１枚のシートで一体に形成して折り曲げて互いに重ねることで各シートの位置決めを容易にできるようにしたものである。しかし、このような構造の入力手段は、薄型化や位置決めの点においては有効であるが、別の種類の入力手段、例えば座標入力用の検出手段を搭載する場合には、別個のユニットをさらに追加して前記入力手段と重ならない位置に設ける必要がある。このため装置の小型化を図ることが困難になる。
【０００６】
そこで、上記特許文献１に示すものが提案されている。これには接点式の入力手段と静電容量式の入力手段の異なる種類の入力手段を上下に重ねることで装置の小型化を図っている。しかし、静電容量式の入力手段を携帯電話のテンキーを含む操作部分に適用すると、通話中レシーバ部分が耳に当てられ、マイク部分が口側に位置するため、入力手段の操作面が必然的に顔の表面に対向することになり、操作面に肌が接触したりまたは非常に接近した状態に位置する。その結果、静電容量式のものでは電荷の変位が検出されて誤作動を引き起こすおそれがある。
【０００７】
また上記特許文献１のものでは、静電容量式のものに替えて感圧式の入力手段が提案されている。しかし、接点式の入力手段と感圧式の入力手段は別々の部材で形成されており、部品点数が増加したり、互いの入力手段の位置決め調整などが煩雑になり、製造コストが高くなる。
【０００８】
本発明は上記従来の課題を解決するものであり、異なる入力手段を搭載するもので、装置の小型化を図ることができ、各入力手段を確実に動作させることができ、また低コストで製造できる入力装置を提供することを目的としている。
【課題を解決するための手段】
【０００９】
本発明は、複数の入力指示部が設けられた操作面と、前記入力指示部に対向する位置にあって押下げ操作により出力が切り替えられる第１の入力手段と、前記第１の入力手段の前記操作面側に重ねられて座標入力操作が可能とされた第２の入力手段を有し、
前記第２の入力手段には、前記第１の入力手段の前記入力指示部に対応する入力点と同じかまたは異なる数の入力点が設けられ、前記第２の入力手段は、前記第１の入力手段よりも低押圧力の摺動操作により動作可能であることを特徴とするものである。
【００１０】
本発明の入力装置は、第１の入力手段では入力指示部に基づいて押圧操作することにより入力指示部に基づく操作が可能になり、例えば携帯電話に搭載するものであればテンキーを含む操作キーの入力操作が可能になる。また第２の入力手段では入力指示部の操作面に沿って摺動操作することにより座標入力が可能になり、例えば画面に表示されたメニューの選択操作や表示画面のスクロール操作などが可能になる。いずれの入力手段も入力点を有する接触式のもので形成することにより、静電容量式のように電荷の変位による影響を受けることがないため誤動作することがなく、双方の入力手段を確実に動作させることができる。
【００１１】
例えば、上部シート基板と共通シート基板と下部シート基板とを有し、前記上部シート基板と前記共通シート基板との間、前記共通シート基板と前記下部シート基板との間で、それぞれ複数の接点が構成され、前記上部シート基板と前記共通シート基板との間において前記第２の入力手段が構成され、前記共通シート基板と下部シート基板との間において前記第１の入力手段が構成されている。
【００１２】
この構造では、シートを一体に形成してシート数を減らすことにより各シートの位置決めが容易になり、また製造コストを低減できるようになる。
【００１３】
また、前記第２の入力手段に設けられた接点数は、前記第１の入力手段に設けられた接点数よりも多く形成され、第２の入力手段の接点の配置密度が前記第１の入力手段の接点の配置密度よりも高いことが好ましい。この構造にすると、座標入力での入力点が増えることになり、より精度の高い検出が可能になる。
【００１４】
また、前記上部シート基板と前記共通シート基板、前記共通シート基板と前記下部シート基板とがそれぞれ接続基板で接続されて、前記各シート基板が一続きのシート状である構成にできる。また前記共通シート基板を基準としたときに前記各接続基板が互いに逆向き折り曲げられて、前記共通シート基板の一面側に前記下部シート基板が、他面側に前記上部シート基板が重ねられる構成にできる。このような構造にすることで、異なる入力手段を重ねて配置できる。
【００１５】
また、前記第２の入力手段の接点による入力点が、前記第１の入力手段の接点による入力点と一部で重なるように配置されていてもよい。また、前記第１の入力手段の接点と接点の間に、前記第２の入力手段の接点が位置していてもよい。
【００１６】
また、前記第１の入力手段には、前記入力指示部が操作されたときにクリック感触を発生させる操作感触発生手段が設けられている構成にしてもよい。これにより、第１の入力手段を押圧操作したときにクリック感触が得られるため、操作者に操作したことを確実に認識させることができる。
【００１７】
また、前記上部シート基板の表面に前記入力指示部が設けられた表面シートが設けられ、前記表面シートの裏面には、前記第２の入力手段の接点に対向する位置にそれぞれ個別に突起が設けられていることが好ましい。突起を設けることで、接点が密に配置された各接点を確実に操作できるようになる。
【発明の効果】
【００１８】
本発明は、上下に異なる種類の入力手段が重ねて配置したものであっても、両入力手段の入力操作を確実にできる。また、両入力手段を構成する電極基板を一体にできるため、位置決めが容易になり、製造コストも低減できるようになる。
【発明を実施するための最良の形態】
【００１９】
図１は本発明の一実施の形態の入力装置の外観を示す斜視図、図２は入力装置の分解斜視図、図３は各シート基板の展開図、図４は図１の４−４線での切断断面図である。
【００２０】
図１に示すように、本実施の形態の入力装置１０Ａは表面シート１１と検出基板１２を有している。この入力装置１０Ａは、その一例として携帯電話のテンキー部分を示すものであるが、これに限らずテレビやオーディオなど各種電化製品のリモコン、ＰＤＡ（パーソナルディジタルアシスタント）、ゲームコントローラ、ポインティングデバイスなどに組み込んで使用できる。
【００２１】
前記表面シート１１は合成樹脂製で四角板状に形成され、操作面である表面に数字や記号などの文字による入力指示部１１ａが印刷などで形成されている。なお、図１において、各入力指示部１１ａを囲む１点鎖線で示す円は、各入力指示部１１ａの境界部分を示しているが、実際にその境界部分の円形の線が入力指示部１１ａの周囲に形成されていてもよい。
【００２２】
図２に示すように、前記検出基板２０は、下部シート基板２１と共通シート基板２２と上部シート基板２３を有している。前記各シート基板２１，２２，２３は、それぞれＰＥＴ（ポリエチレンテレフタレート）やポリイミドなどの合成樹脂材料でフィルム状に形成されたものである。
【００２３】
下部シート基板２１の上面（Ｚ１側の面）には導電パターン２１Ａが形成されている。この導電パターン２１Ａは、銀箔や銅箔などの導電性部材で円形状又は矩形状に形成された下部導電体２１ａがＸ方向に３個で、Ｙ方向に６個で合計１８個形成されている。前記共通シート基板２２の下面（Ｚ２側の面）には導電パターン２２Ａが形成されており、この導電パターン２２Ａは、前記と同様に円形または矩形の上部導電体２２ａが合計１８個形成されている。
【００２４】
また、共通シート基板２２の上面側には電極パターン２２Ｂが形成されている。この電極パターン２２Ｂは、銀箔や銅箔などの導電性部材で円形状または矩形状に形成された下部電極２２ｂがＸ方向に５個且つＹ方向に６個で合計３０個形成されている。上部シート基板２３の下面には電極パターン２３Ａが形成されており、この電極パターン２３Ａも前記電極パターン２２Ｂと同様にして上部電極２３ａがＸ方向に５個、Ｙ方向に６個で合計３０個形成されている。
【００２５】
図２に示すように、下部シート基板２１のＹ２側の縁部と共通シート基板２２のＹ２側の縁部とが一定の幅寸法の接続基板３１で接続され、共通シート基板２２のＹ１側の縁部と上部シート基板２３のＹ１側の縁部とが一定の幅寸法の接続基板３２で接続されている。ただし、この接続基板３１，３２の長さ寸法は幅寸法は適宜変更することができ、また１本だけで複数本で形成してもよい。
【００２６】
図３は各シート基板２１，２２，２３を展開した状態を示しているが、この状態では、下部シート基板２１と共通シート基板２２の上面側の同一面上にそれぞれ導電パターン２１Ａ，２２Ａが形成され、また共通シート基板２２と上部シート基板２３の下面側の同一面上にそれぞれ電極パターン２２Ｂ，２３Ａが形成されていることになる。
【００２７】
したがって、前記接続基板３１，３２を図２に示す状態に折り曲げて前記各シート基板２１，２２，２３を重ねることにより、導電パターン２１Ａと導電パターン２２Ａとが対面し、電極パターン２２Ｂと電極パターン２３Ａとが対面する。
【００２８】
また、図３に示すようにいずれの接続基板３１，３２も各シート基板２１，２２，２３のＹ方向の縁部で互いに接続されているため、各シート基板２１，２２，２３を重ねたときにＸ方向への相対的な位置ずれを低減できるため位置決め工程を容易にできる。
【００２９】
図２に示すように、前記下部シート基板２１と前記共通シート基板２２との間にはスペーサ基板２４が設けられ、前記共通シート基板２２と前記上部シート基板２３との間にはスペーサ基板２５が設けられている。スペーサ基板２４，２５は、いずれもＰＥＴやポリイミドなどの合成樹脂で形成され、前記スペーサ基板２４には、Ｘ方向に３個、Ｙ方向に６個で計１８個の円形の貫通孔２４ａが形成され、前記スペーサ基板２５には、Ｘ方向に５個、Ｙ方向に６個で計３０個の円形の貫通孔２５ａが形成されている。
【００３０】
前記各シート基板２１，２２，２３及び各スペーサ基板２４，２５が図３に示すように重ねられて互いに対向する面どうしが接着剤などで固定される。これにより下部シート基板２１とスペーサ基板２４と共通シート基板２２とで本発明の第１の入力手段２０Ａが構成され、また共通シート基板２２とスペーサ基板２５と上部シート基板２３とで本発明の第２の入力手段２０Ｂが構成される。前記第１の入力手段２０Ａでは１８個の接点が形成され、前記第２の入力手段２０Ｂでは３０個の接点が形成されている。前記入力手段２０Ａ，２０Ｂでの各接点が本発明での入力点となる。このように、第２の入力手段２０Ｂの接点の配置密度が前記第１の入力手段２０Ａの接点の配置密度よりも高く設定されている。
【００３１】
なお、前記スペーサ基板２４，２５は、合成樹脂製のシートに限られるものではなく、複数の貫通孔が形成された接着剤層を形成したものであってもよい。
【００３２】
前記入力装置１０Ａでは、図２と図３に示すように、下部シート基板２１に所定幅寸法の帯状の引出部２６が一体に突出して形成されている。前記下部シート基板２１では、図示されているように、各下部導電体２１ａに銅箔などの引出電極２１ｂが前記引出部２６まで延びて形成されている。図２と図３では一部の下部導電体２１ａのみ図示しているが、他の各下部導電体２１ａ、共通シート基板２２の各上部導電体２２ａと各下部電極２２ｂ、及び上部シート基板２３の各上部電極２３ａにも同様な引出電極がそれぞれ形成されて、前記引出部２６まで引き出されている。
【００３３】
このように各シート基板２１，２２，および接続基板３１，３２を一続きのシート状で形成し、また共通シート基板２２で双方の入力手段２０Ａ，２０Ｂの接点の一方を共通のシートで形成されている。このため双方の入力手段２０Ａと２０Ｂをひとつの部品として構成することができるため、製造工程を簡略化できる。
【００３４】
前記検出基板２０の上面には表面シート１１が重ねられる。図２に示すように、前記表面シート１１の裏面には押圧突起１１ｂが形成されており、この押圧突起１１ｂは合成樹脂材料で凸状に形成されたものであり、図２ではＸ方向に５個の押圧突起１１ｂが、Ｙ方向に６列形成されて合計で３０個形成されている。本実施の形態では各押圧突起１１ｂは合成樹脂製のフィルム１３に形成されて、前記表面シート１１の下面に接着剤などで固定されている。なお前記押圧突起１１ｂは、表面シート１１の裏面に直接に形成されていてもよい。
【００３５】
図４に示すように、前記第１の入力手段２０Ａでは下部導電体２１ａと上部導電体２２ａとで接点Ｓ１，Ｓ２，Ｓ３が形成される。また前記第２の入力手段２０Ｂでは下部電極２２ｂと上部電極２３ａとで接点Ｓ４，Ｓ５，Ｓ６，Ｓ７，Ｓ８が形成される。このときＸ１側の接点Ｓ４とＸ２側の接点Ｓ８と中央の接点Ｓ６が、前記第１の入力手段２０Ａでの接点Ｓ１，Ｓ２，Ｓ３とが上下に重なるように設定されている。また第１の入力手段２０Ａの接点Ｓ１と接点Ｓ２との間、接点Ｓ２と接点Ｓ３との間に、前記第２の入力手段２０Ｂの接点Ｓ５，Ｓ７が位置している。
【００３６】
なお、図４では図１の一部の列について説明しているが、他の列についても図４と同様に形成されている。このように、第２の入力手段２０Ｂでの接点数が前記第１の入力手段２０Ａでの接点数よりも密に形成されている。
【００３７】
前記上部シート基板２３の上面に表面シート１１が重ねられると、表面シート１１に設けられた押圧突起１１ｂが前記接点Ｓ４，Ｓ５，Ｓ６，Ｓ７，Ｓ８に個別に対向する。
【００３８】
前記入力装置１０Ａでは、第２の入力手段２０Ｂが第１の入力手段２０Ａよりも表面シート１１側に配置されているため、第２の入力手段２０Ｂの接点Ｓ４〜Ｓ８の出力をＯＮにする操作力を、第１の入力手段２０Ａの接点Ｓ１〜Ｓ３の出力をＯＮにする操作力よりも小さくできる。例えば、第１の入力手段２０Ａでは、１．４７Ｎ（ニュートン）の作動力（押圧力）で動作するようにし、第２の入力手段２０Ｂでは、０．１９６Ｎの軽作動力（低押圧力）で動作するように設定することが好ましい。
【００３９】
なお、前記第１の入力手段２０Ａと第２の入力手段２０Ｂでの前記作動力を調整するには、スペーサ基板２４，２５の厚み寸法を変更したり、または貫通孔２４ａ，２５ａの開口径を調整することにより可能である。すなわち、基板の厚み寸法を厚くしたり、開口径の寸法を小さくすることでオンになるまでの作動力を大きくできる。
【００４０】
次に、本発明の入力装置の動作について説明する。なお、前記入力装置１０Ａでは、第１の入力手段２０Ａの入力操作が可能なボタン入力モードと、第２の入力手段２０Ｂの入力操作が可能な座標入力モードとが図示しない制御部によって自動的に切換え可能に設定されている。
【００４１】
ボタン入力モードに設定されているときに、図１に示すいずれかの入力指示部１１ａ、例えばボタン「０」がＺ２方向へ大きな押圧力で押下げ操作されることにより、図４で中央に位置する押圧突起１１ｂが押し下げられる。このときの押圧力により上部シート基板２３と共通シート基板２２とがそれぞれ撓み変形しながら押圧されて、共通シート基板２２に形成された上部導電体２２ａが下部シート基板２１に形成された下部導電体２１ａに接触して、接点Ｓ２の出力がオンに切り替えられる。同様にして、「＊」の入力指示部１１ａが押下げ操作されたときには接点Ｓ３の出力がオンに切り替えられ、また「＃」の入力指示部１１ａが押下げ操作されたときには接点Ｓ１の出力がオンに切り替えられる。なお、その他の入力指示部１１ａについても、上記と同様に動作させられる。
【００４２】
座標入力モードに設定されているときには、入力指示部１１ａが形成されている表面シート１１上を低い押圧力でスライドさせながら操作（摺動操作）することにより、例えばＸ１側からＸ２側に向けて直線的に移動させたときに上部シート基板２３が押圧突起１１ｂによってＸ１側からＸ２側に向けて順番に撓み変形させられる。このときの変形動作により上部シート基板２３の上部電極２３ａが共通シート基板２４の下部電極２２ｂに接触して接点Ｓ４から接点Ｓ８に向けて順番に出力がオンに切り替えられる。ただし隣接する複数の接点が同時にオンに切り替えられる設定でもよい。この出力の切換え動作を図示しない制御部で検出することにより、表面シート１１上においてＸ１側からＸ２側に向けて移動したことが検知される。
【００４３】
例えば携帯電話として使用する際に、通話機能を使用する場合にはボタン入力モードに設定されて、表面シート１１の入力指示部１１ａの表示に基づいた入力が可能となり、電話番号の入力やアドレス帳の編集などが可能になる。また携帯電話の画面に複数のアイコンなどで構成されたメニュー画面が表示されたときには座標入力モードに設定されて、操作面上を移動させる方向に基づいて前記アイコンの選択位置が変化する。また画面にＥメールなどの文章が表示されている場合には、操作面上を上下（Ｙ方向）に移動させることで画面の送り操作などが可能になる。
【００４４】
ただし、前記ボタン入力モードと前記座標入力モードとが必ずしも一方のモードに選択されるように制御する必要はなく、両モードを同時に起動させるように制御してもよい。例えば、Ｅメールでの文章入力時やアドレス帳編集での文字入力時において、各入力指示部１１ａに「あ」行、「か」行、・・・、と割り当てられている場合に、「か」行を操作する場合にあっては、入力指示部１１ａの中央を大きな押圧力で押下げ操作することで「か」「き」・・・が選択可能となり、入力指示部１１ａの縁を軽く押圧操作することによって、濁点付きの「が」「ぎ」・・・が選択可能となるように制御してもよい。また、「あ」行の入力指示部１１ａを操作したときであれば、入力指示部１１ａの縁を操作することで小文字の「ぁ」「ぃ」・・・が選択可能となるように制御してもよい。なお、上記した制御を第２の入力手段のみで構成してもよい。
【００４５】
図５は、本発明の入力装置の他の実施の形態を示す断面図である。図５に示す入力装置１０Ｂは、第１の入力手段２０Ｃと第２の入力手段２０Ｄを有し、前記第１の入力手段２０Ｃにクリック感触を発生させる操作感触発生手段が搭載されている。この操作感触発生手段を搭載した点以外は、前記入力装置１０Ａと同じ構成であり、以下においては同一の符号を付してその説明を省略する。
【００４６】
前記入力装置１０Ｂの第１の入力手段２０Ｃでは、下部シート基板２１上に、前記入力指示部１１ａと対向する位置にそれぞれ導電体２１ｃと、前記各導電体２１ｃを覆うようにして反転板２７とが設けられている。この反転板２７が本発明での操作感触発生手段である。この反転板２７は金属板をドーム状に形成したものであり、下部シート基板２１と共通シート基板２２との間に形成されるスペーサ基板２４の貫通孔２４ａ内に位置しており、前記導電体２１ｃと前記反転板２７とが所定距離離れた状態で配置されている。
【００４７】
なお図示していないが、前記反転板２７の一部には導電性の引出電極が接続されており、前記引出部２６まで延びて形成されている。前記導電体２１ｃも前記と同様にして引出電極が接続されて引出部２６まで延びている。
【００４８】
前記入力装置１０Ｂでは、ボタン入力モードが設定されているときに前記表面シート１１の入力指示部１１ａがＺ２方向へ押圧操作されると、押圧突起１１ｂによって上部シート基板２３及び共通シート基板２２が押圧される。この動作により前記反転板２７の凸部分の中心部が凹状に変形させられることで操作者にはクリック感触が与えられる。また反転板２７が凹状に変形させられることで反転板２７と導電体２１ｃとが接触してスイッチ出力がオンに切り替えられる。クリック感触を発生させることでボタンを押したという認識を操作者に確実に与えることができる。また操作感触も向上できる。
【００４９】
なお、クリック感触を発生させる第１の入力手段の構成としては、図５に示す構造のものに限られず、例えば、図４に示す構造のものにおいて上部導電体２２ａと下部電極２２ｂとの間にさらに隙間を形成して、この隙間内に前記反転板２７を介装するようにしてもよい。
【００５０】
また、前記第２の入力手段２０Ｂ，２０Ｄの構成としては、上記のように各接点Ｓ４，Ｓ５，Ｓ６，Ｓ７，Ｓ８がそれぞれ個別に形成されるものに限られない。例えば、上部シート基板２３と共通シート基板２２の対向面にそれぞれ一面に抵抗体を形成し、上部シート基板２３のＸ方向の両端及び共通シート基板２２のＹ方向の両端にそれぞれ電極線を形成し、各シート基板２２，２３に交互に所定の電位を印加することによって、Ｘ方向の電位とＹ方向の電位をそれぞれ検出して（Ｘ，Ｙ）座標を検出できるようにしてもよい。これにより、さらに入力点を増やすうことができ、より詳細な座標検出が可能になる。あるいは上部シート基板２３側に突起状の電極を形成し、共通シート基板２２の前記電極との対向面に一面に抵抗体を形成してＸ，Ｙ座標を検出するものでもよい。
【００５１】
また前記第２の入力手段２０Ｂ，２０Ｄで押圧力の変化を検出できるようにしてもよい。すなわち、押圧力に応じて下部電極２２ｂと上部電極２３ａとの接触面積を変化させ、その面積変化に基づいて抵抗値を変化させるようにして、押圧力の変化を検出できるようにしたものでもよい。このように押圧力の変化を検出できるようにすると、携帯電話でのメニュー画面でのメニュー選択において、表面シート１１上を摺動操作することでその操作方向に応じてメニューの選択位置を変化でき、いずれかが選択された位置でより強く押圧したりあるいはタッピング操作することにより前記選択位置のメニューを決定することができるようになる。
【００５２】
また、表面シート１１の表面の操作面に入力指示部１１ａの境界が明確になるように、図１に示す１点鎖線の円に沿って円形の溝や円形の突部などを形成してもよい。
【図面の簡単な説明】
【００５３】
【図１】本発明の入力装置の一実施の形態の外観を示す斜視図、
【図２】本発明の入力装置の分解斜視図、
【図３】各シート基板を展開したときの斜視図、
【図４】図１の４−４線の切断断面図、
【図５】本発明の入力装置の他の実施の形態を示す断面図、
【符号の説明】
【００５４】
１０（１０Ａ，１０Ｂ）  入力装置
１１  表面シート
１１ａ  入力指示部
１２  検出基板
１１ｂ  押圧突起
２０Ａ，２０Ｃ  第１の入力手段
２０Ｂ，２０Ｄ  第２の入力手段
２１  下部シート基板
２１ａ  下部導電体
２２  共通シート基板
２２ａ  上部導電体
２２ｂ  下部電極
２３  上部シート基板
２３ａ  上部電極
２４，２５  スペーサ基板
２４ａ，２５ａ  貫通孔
２６  引出部
２７  反転板
【図１】
2005166466.tif 000003
【図２】
2005166466.tif 000004
【図３】
2005166466.tif 000005
【図４】
2005166466.tif 000006
【図５】
2005166466.tif 000007